(57)【特許請求の範囲】
【請求項１】
本体とこの本体に装着されるフェースプレートとを備えたエレベータの表示装置において、
前記本体には面発光体や発音装置が設けられ、前記フェースプレートには前記本体に装着した時に前記面発光体に対向する位置に設けた表示体と前記発音装置の音抜き穴とが設けられ、更に上端が前記音抜き穴よりも上方の本体のフェースプレート側又はフェースプレートの本体側に取り付けられ、下部が前記面発光体と表示体との間に位置するように吊下し且つ側面は開放されているめくり上げることが可能な透明の防水カバーを設けたことを特徴とするエレベータの表示装置。
【請求項２】
前記本体には前記面発光の調光スイッチ及び前記発音装置の調音スイッチを備え、前記防水カバーは前記各スイッチよりも前記フェースプレート側にくるように取り付けられたことを特徴とする請求項１に記載のエレベータの表示装置。
【発明の詳細な説明】
【技術分野】
【０００１】
本発明はエレベータの乗場に設置され、スピーカやゴング等の発音装置を内蔵したホールランタンや、発音装置を内蔵したホールランタン付インジケータ等の表示装置に関するものである。
【背景技術】
【０００２】
従来のエレベータのホールランタンを図３〜図６により説明する（特許文献１参照）。図３はエレベータ乗場の正面図であり、１は乗場ボタン、２はインジケータ、３はホールランタン、４は三方枠、５は乗場ドアである。
ホールランタン３はその断面図である図４に示すように、乗場壁６の表面にアンカーボルト２５によって固定された底板２２に、外周部が湾曲したトレイ状のフェースプレート２１を取り付けて、薄型のケーシングを構成しており、このケーシング内に、一対の面発光体２３ａ，２３ｂとプリント配線板２４とが配置されている。面発光体２３ａ，２３ｂの表面には、透明表示体１３ａ，１３ｂが取り付けられており、透明表示体１３ａ，１３ｂの表示部がフェースプレート２１から外側へ突出している。また、乗場壁６にはホールランタン３から図示省略した制御盤へ向かって伸びる配線１８を通すための細い貫通孔が開設されている。
【０００３】
面発光体２３ａ，２３ｂは、図５（ａ），（ｂ）に示すように、平板状の導光板３０の両側部に、それぞれ複数のＬＥＤ３２，３３を備えた光源３１を配備して構成されている。導光板３０は、図６に示すように、ＬＥＤ３２，３３の頭部が収容されるべき凹部３８が形成された透明アクリル板３６を備えている。この透明アクリル板３６の背面には、光反射率の高い材質からなるインクを印刷して導光印刷層３７を形成するとともに、透明アクリル板３６の表面には、透光性の拡散シート３４を配置し、導光印刷層３７が形成された透明アクリル板３６の背面には反射シート３５を配置している。またＬＥＤが配置されていない透明アクリル板３６の側面にも、反射シートが配置されている。
各光源３１は、共通の基板上に前記複数のＬＥＤ３２，３３を配列して構成されており、これらのＬＥＤは、発光色の異なるものが交互に並んでいる.例えば発光色が黄色のＬＥＤ３２と発光色が赤色のＬＥＤ３３である。
【０００４】
このように構成された面発光体２３ａ，２３ｂにおいては、複数のＬＥＤが点灯されることによって、これらのＬＥＤから発せられた光が、導光板３０の内部を導かれながら導光板３０の全体に拡がり、最終的に導光板３０の表面全域から前方へ均一に出射される。
面発光体２３ａ，２３ｂの表面には、図５に示すように透明表示体１３ａ，１３ｂが設置されており、これら透明表示体１３ａ，１３ｂの表面又は裏面には、図示のように矢印などが印刷されている。したがって、面発光体２３ａ，２３ｂからの均一な光が、透明表示体１３ａ，１３ｂに照射されて、所定の表示が行われる。
このように発光色の異なる複数種のＬＥＤを備えた構成においては、例えば乗場にかごが割り当てられたときには黄色のＬＥＤ３２を点灯させ、かごが到着したときには赤色のＬＥＤ３３を点滅させるなど、エレベータの運行状態に応じた種々の点灯制御が行える。
【０００５】
前記ホールランタン３は、白熱ランプに比べて発熱量の少ないＬＥＤを使用しているため、プリント配線板２４をホールランタン３の内部に組み込むことができる。また導光板３０の側面に複数のＬＥＤ３２，３３を配置して面発光体２３ａ，２３ｂが構成されているので、光源として白熱ランプを用いたり、単に白熱ランプに代えてＬＥＤを配置しただけの装置に比べて、ホールランタン３をより薄型化することができる。
【特許文献１】国際公開第０２／０７６８７０号パンフレット
【発明の開示】
【発明が解決しようとする課題】
【０００６】
ホールランタンには、単に発光するだけではなく、チャイム，ゴング，スピーカ等の音を発する発音装置を内蔵したタイプのものがある。この場合、音が乗場の待客に聞こえるように、フェースプレートに音抜き穴を設けている。そのためホールランタンが屋外に設置されるエレベータでは、音抜き穴から雨などの水が入り、内部のプリント配線板上の機器等の故障原因になる可能性がある。特に前記のような薄型のホールランタンはフェースプレートの音抜き穴とプリント配線板との距離が近いため、その可能性がより大きくなる。また、発音装置を内蔵したホールランタン付インジケータ等、発音装置を内蔵した他の表示装置の場合も同じである。
【課題を解決するための手段】
【０００７】
本発明は、本体とこの本体に装着されるフェースプレートとを備えたエレベータの表示装置において、前記本体には面発光体や発音装置が設けられ、前記フェースプレートには前記本体に装着した時に前記面発光体に対向する位置に設けた表示体と前記発音装置の音抜き穴とが設けられ、更に上端が前記音抜き穴よりも上方の本体のフェースプレート側又はフェースプレートの本体側に取り付けられ、下部が前記面発光体と表示体との間に位置するように吊下し且つ側面は開放されているめくり上げることが可能な透明の防水カバーを設けた表示装置である。
また本発明は、前記本体には前記発光体の調光スイッチ及び前記発音装置の調音スイッチを備え、前記防水カバーは前記各スイッチよりもフェースプレート側にくるように取り付けられた表示装置である。
【発明の効果】
【０００８】
本発明によれば、フェースプレートの音抜き穴から水が浸入しても、防水カバーによって面発光体や発音装置等を防水することができるため、発音装置内蔵の表示装置を屋外でも設置することができる。
【発明を実施するための最良の形態】
【０００９】
本発明の実施の形態を図により説明する。図１は本実施形態のホールランタンの断面図、図２はホールランタンからフェースプレートと防水カバーを除いた概略正面図である。図において４０は底板２２に固定された発音装置、例えばスピーカ，チャイム，ゴングなどである。５０は底板２２に固定されたプリント配線板で、このプリント配線板５０には、光源３１と導光板３０からなる面発光体２３ａ，２３ｂ、発音装置４０の音量を調整する調音スイッチ４１、面発光体２３ａ，２３ｂの明るさを調整する調光スイッチ２３ａｓ，２３ｂｓ、面発光体２３ａ，２３ｂ、発音装置４０への信号伝達や制御のための電子部品５１等が配置されている。
【００１０】
４２はフェースプレート２１の、発音装置４０に相当する位置に空けられた発音装置４０の音抜き穴で、透明表示体１３ａ，１３ｂはフェースプレート２１に固定されている。４３は上端が発音装置４０の上部に固定され、面発光体２３ａ，２３ｂの前面を覆うように吊下した透明の防水カバーであり、側面は開放されているため，発音装置４０からの音は防水カバー４３の側面の空間を通って音抜き穴４２から外部へ出ることができる。また図１において、底板２２から防水カバー４３までの部分を本体６０と称する。従って透明表示体１３ａ，１３ｂを備えたフェースプレート２１を本体６０に取り付けることによって、ホールランタン３を構成している。またフェースプレート２１を本体６０に取り付けることによって、透明表示体１３ａ，１３ｂと面発光体２３ａ，２３ｂとの間に防水カバー４３が位置する構成になっている。この結果防水の必要な部品は防水カバー４３より本体６０側に配置され、防水の不要なフェースプレート２１及び透明表示体１３ａ，１３ｂが防水カバー４３の外側、即ち反本体６０側に配置されることになる。
【００１１】
本実施形態は前記のような構成であるから、万一音抜き穴４２から水が入っても、水は防水カバー４３の外側、即ちフェースプレート２１及び透明表示体１３ａ，１３ｂ側を流れるため、水による機器の故障等を防止することができる。
また本実施形態は透明表示体１３ａ，１３ｂと面発光体２３ａ，２３ｂとの間に透明な防水カバー４３が位置する構成であるため、防水カバー４３の下方を固定するための手段が不要であり、また面発光体２３ａ，２３ｂの発光の支障になることもない。
【００１２】
更に本実施形態の構成であれば、乗場の照明や暗騒音に応じて、据付現場で面発光体２３ａ，２３ｂの調光や、発音装置４０の調音も容易に行える。即ちフェースプレート２１及び透明表示体１３ａ，１３ｂを本体６０から外し、次に防水カバー４３をめくり上げると図２に示すように調音スイッチ４１，調光スイッチ２３ａｓ，２３ｂｓが露出するため、各スイッチを容易に調整することができる。
【００１３】
前記実施形態では、面発光体２３ａ，２３ｂと透明表示体１３ａ，１３ｂとの間に隙間を設け、その隙間に防水カバー４３が位置している。これは前記実施形態においては、フェースプレート２１を本体６０から外すとき、フェースプレート２１を上方にずらして外す構成にしているためである。即ち、面発光体２３ａ，２３ｂと、防水カバー４３と、透明表示体１３ａ，１３ｂとが密着していると、フェースプレート２１を上方にずらすときに擦れてしまうからである。
しかしフェースプレート２１を図１の左方向へ移動して外す構成の場合には、隙間を空けずに防水カバー４３を面発光体２３ａ，２３ｂと透明表示体１３ａ，１３ｂとで挟み付ける構成にしてもよい。
尚、防水カバー４３を発音装置４０の上部に取り付けているが、音抜き穴４２の上部のフェースプレート２１に取り付けることもできる。またホールランタン３は乗場壁に限らず三方枠に設置する場合でも同様に実施することができるし、透明表示体１３ａ，１３ｂは透明に限ることはなく、透光性を有するものであればよい。
更に前記実施形態では、音抜き穴はフェースプレート２１の上部に設けられているが、フェースプレート２１の中間部や下方に設けられる場合でも同様に実施できる。この場合防水カバー４３の上端は音抜き穴より上部の本体６０側又はフェースプレート２１側に取り付ければよい。
【００１４】
以上、発音装置を内蔵したホールランタンについて説明したが、これに限ることはなく、発音装置を内蔵したホールランタン付インジケータ等、発音装置を内蔵した他の表示装置ににおいても同様に実施することができる。
【図面の簡単な説明】
【００１５】
【図１】本発明の実施の形態を示すホールランタンの断面図である。
【図２】本実施の形態のホールランタンからフェースプレートと防水カバーを除いた概略正面図である。
【図３】エレベータ乗場の正面図である。
【図４】従来のホールランタンの断面図である。
【図５】面発光体の構造を示す正面図及び側面図である。
【図６】導光板と光源との係合構造を示す一部破断側面図である。
【符号の説明】
【００１６】
３  ホールランタン
６  乗場壁
１３ａ，１３ｂ  透明表示体
２１  フェースプレート
２３ａ，２３ｂ  面発光体
２３ａｓ，２３ｂｓ  調光スイッチ
３０  導光板
３１  光源
４０  発音装置
４１  調音スイッチ
４２  音抜き穴
４３  防水カバー
５０  プリント配線板
５１  電子部品
６０  本体
【図１】
0004608919.tif 000002
【図２】
0004608919.tif 000003
【図３】
0004608919.tif 000004
【図４】
0004608919.tif 000005
【図５】
0004608919.tif 000006
【図６】
0004608919.tif 000007